(57)【要約】【課題】水中フィルタ用濾過材収容部の平面視形状が相似形の形状であっても使用することができ、水中フィルタ用濾過材収容部の平面視形状が異なる形状であっても使用することのできる水中フィルタ用濾過材を提供する。【解決手段】ハウジング内に収容して使用する水中フィルタ用濾過材１１であって、所定の高さを有した中心濾過材部分１２の外側に、中心濾過材部分１２と同じ高さで、中心濾過材部分１２と同心の環状濾過材部分１３を取り外し可能に配置し、環状濾過材部分１３の四隅に平面視外形が矩形となるように、環状濾過材部分１３と同じ高さの隅濾過材部分１４を取り外し可能に取り付けた。【選択図】図１
2009183160.tif 000002
【特許請求の範囲】
【請求項１】
ハウジング内に収容して使用する水中フィルタ用濾過材であって、
所定の高さを有した中心濾過材部分の外側に、所定の高さで、前記中心濾過材部分と同心の環状濾過材部分が１つ以上取り外し可能に配置されている、
ことを特徴とする水中フィルタ用濾過材。
【請求項２】
請求項１に記載の水中フィルタ用濾過材において、
環状濾過材部分の外形が円形で、平面視外形が矩形となるように、最も外側の環状濾過材部分の四隅に所定の高さの隅濾過材部分が取り外し可能に取り付けられている、
ことを特徴とする水中フィルタ用濾過材。
【発明の詳細な説明】
【技術分野】
【０００１】
この発明は、観賞魚用水槽などにおいて、飼育水の濾過に使用する水中フィルタ用濾過材に関するものである。
【背景技術】
【０００２】
観賞魚用水槽内においては、餌の食べ残し、観賞魚の排泄物、汚泥などによって飼育水が濁り、アンモニアが発生する。
しかし、飼育水の濁りおよびアンモニアが観は、魚の生育に悪影響を与えることが知られている。
そこで、飼育水を物理濾過することによって飼育水の濁りを除去するとともに、飼育水を生物濾過することによってアンモニアを亜硝酸、硝酸へと酸化分解している。
【０００３】
上記のように飼育水を濾過する場合、ハウジング内に、厚手の不織布やスポンジなどで構成した水中フィルタ用濾過材を収容（収納）し、エアーポンプで飼育水の流れを作り、飼育水を観賞魚用水槽内からハウジング内へと供給する。
このようにしてハウジング内に供給された飼育水は、水中フィルタ用濾過材を通過することによって物理濾過および生物濾過された後、観賞魚用水槽内へと戻される（例えば、特許文献１、特許文献２、特許文献３参照。）。
【０００４】
【特許文献１】特開２００４−１１３８５２号公報
【特許文献２】特開２００３−３２５０７５号公報
【特許文献３】特開２００１−２５８４２３号公報
【発明の開示】
【発明が解決しようとする課題】
【０００５】
上記した水中フィルタ用濾過材は、ハウジング内の形状がメーカーによって異なることにより、平面視外形が様々な形状、例えば、円形、三角形、四角形、六角形、八角形などをしている。
また、水中フィルタ用濾過材の平面視外形は同じであっても、大きさが異なる、すなわち、相似形である場合がある。
したがって、水中フィルタ用濾過材を交換するために購入する場合、メーカーおよび型番（品番）などを指定して水中フィルタ用濾過材を購入する必要がある。
【０００６】
この発明は、上記したような不都合を解消するためになされたもので、水中フィルタ用濾過材収容部の平面視形状が相似形の形状であっても使用することができ、水中フィルタ用濾過材収容部の平面視形状が異なる形状であっても使用することのできる水中フィルタ用濾過材を提供するものである。
【課題を解決するための手段】
【０００７】
この発明は、以下のような発明である。
（１）ハウジング内に収容して使用する水中フィルタ用濾過材であって、所定の高さを有した中心濾過材部分の外側に、所定の高さで、前記中心濾過材部分と同心の環状濾過材部分が１つ以上取り外し可能に配置されていることを特徴とする。
（２）（１）に記載の水中フィルタ用濾過材において、環状濾過材部分の外形が円形で、平面視外形が矩形となるように、最も外側の環状濾過材部分の四隅に所定の高さの隅濾過材部分が取り外し可能に取り付けられていることを特徴とする。
【発明の効果】
【０００８】
この発明によれば、所定の高さ（厚さ）を有した中心濾過材部分の外側に、所定の高さ、例えば、中心濾過材部分と同じ高さで、中心濾過材部分と同心の環状濾過材部分が１つ以上取り外し可能に配置されているので、中心濾過材部分または環状濾過部材部分を取り外すことにより、水中フィルタ用濾過材収容部の平面視形状が相似形の形状であっても水中フィルタ用濾過材として使用することができる。
したがって、水中フィルタ用濾過材を交換するために購入する場合、メーカーおよび型番（品番）などを指定して水中フィルタ用濾過材を購入する必要がなくなるため、水中フィルタ用濾過材の購入に際しての煩わしさから解放される。
そして、環状濾過材部分の外形が円形で、平面視外形が矩形となるように、最も外側の環状濾過材部分の四隅に所定の高さ、例えば、中心濾過材部分と同じ高さの隅濾過材部分が取り外し可能に取り付けられているので、各隅濾過材部分を取り付けた状態では平面視外形が矩形の水中フィルタ用濾過材として使用することができ、また、各隅濾過材部分を取り外した状態では平面視外形が円形の水中フィルタ用濾過材として使用することができる。
したがって、水中フィルタ用濾過部材収容部の平面視形状が異なっていても、水中フィルタ用濾過材として使用することができる。
【発明を実施するための最良の形態】
【０００９】
以下、この発明の実施例を図に基づいて説明する。
【００１０】
図１（ａ）はこの発明の一実施例である水中フィルタ用濾過材の斜視図、図１（ｂ）は図１（ａ）に示した水中フィルタ用濾過材の分解斜視図、図２（ａ）は図１に示した水中フィルタ用濾過材を収容するハウジングの分解斜視図、図２（ｂ）は図２（ａ）に示したハウジングを組み立てた状態の部分縦断面図、図３はハウジング内に水中フィルタ用濾過材を収容させた状態の水中フィルタの部分縦断面図である。
【００１１】
図１において、水中フィルタ用濾過材１１は、所定の高さ（厚さ）で、所定の直径、例えば、６０ｍｍの高さで、６６ｍｍの直径を有し、不織布またはスポンジで構成された円柱状の中心濾過材部分１２と、この中心濾過材部分１２と同じ高さ（厚さ）で、中心濾過材部分１２の外側に取り外し可能に配置された（取り付けられた）、中心濾過材部分１２と同心の不織布またはスポンジで構成された環状濾過材部分１３と、この環状濾過材部分１３および中心濾過材部分１２と同じ高さ（厚さ）で、環状濾過材部分１３の外側の四隅に、平面視外形が矩形（一辺が６６ｍｍの正方形）となるように取り外し可能に取り付けられている、不織布またはスポンジで構成された隅濾過材部分１４とで構成されている。
【００１２】
上記した環状濾過材部分１３と各隅濾過材部分１４とは、環状濾過材部分１３の外周部分に軸方向へ形成されるとともに、周方向へ、例えば、等間隔に３個を１組として４組（１２個）形成された蟻溝状の凹部１３ｄと、各隅濾過材部分１４の内周に軸方向へ形成されるとともに、周方向へ等間隔に３個形成され、環状濾過材部分１３の凹部１３に嵌合（係合）する嵌合突条１４ｐとによって取り外し可能に嵌合（係合）している。
なお、中心濾過材部分１２と環状濾過材部分１３とは、一方（下方）の端を千切ることによって取り外し可能に連結された状態に型抜きによって形成されている。
また、環状濾過材部分１３と各隅濾過材部分１４とは、一方（下方）の端を千切ることによって取り外し可能に連結された状態に型抜きによって形成されている。
【００１３】
図２において、ハウジング３１は、上面が開放した円筒状のプラスチックで構成（成型）されたハウジング本体３２と、このハウジング本体３２の中に収容（収納）される、プラスチックで構成（成型）された区画部材３６と、ハウジング本体３２の上面を覆う、プラスチックで構成（成型）された蓋体４０とで構成されている。
そして、ハウジング本体３２には、水中フィルタ用筒状濾過材５１が装着されるとともに、プラスチックで構成（成型）されたノズル部材６１が取り付けられる。
【００１４】
上記したハウジング本体３２は、内径が７２ｍｍ、外径が７５ｍｍ、深さが５０ｍｍで、下端部分が下側へ窄む円錐台形部３２ｃとされている。
そして、ハウジング本体３２には、円錐台形状部３２ｃの外周に一端が開放し、底の内側を伝って中心で上方へ他端が、高さが１３ｍｍ、内径が１０ｍｍ、外径が１４ｍｍで開放する筒部３３が設けられている。
さらに、ハウジング本体３２には、周壁に、幅が１．５ｍｍで円錐台形部３２ｃの上端よりも下側まで縦（軸）方向に延びるスリット３２ｓが、周方向へ等間隔で設けられ、上端の点対称な外周に、外側へ突出する係止突起３４が設けられている。
なお、ハウジング本体３２の内側上端から円錐台形状部３２ｃの内側上端までの長さは、３９ｍｍとされている。
【００１５】
上記した区画部材３６は、平面視円形で、ハウジング本体３２内へ円錐台形部３２ｃの上端部分まで挿入される外径が７０ｍｍの円形平板部３７と、この円形平板部３７の中心に円形平板部３７と直交するように設けられ、ハウジング本体３２に設けられた筒部３３の他端が内側に嵌合する、内径が１４．５ｍｍ、外径が１８ｍｍの円筒部３８とで構成されている。
そして、円形平板部３７には、幅が１．５ｍｍで半径方向へ延びるスリット３７ｓが円周方向に等間隔で設けられている。
【００１６】
上記した蓋体４０は、内径が６２ｍｍ、外径が７１．５ｍｍの嵌合環状部４１が下端に設けられ、外径が７５ｍｍ、深さが１０ｍｍの上側へ窄む円錐台形状とされ、中心に上側へ突出する筒部４２が設けられている。
そして、蓋体４０の円錐台形状部分には、幅が２ｍｍで縦（軸）方向へ延びるスリット４０ｓが、周方向へ等間隔で設けられている。
さらに、蓋体４０には、下端の点対称な外周に、ハウジング本体３２の係止突起３４を回転しながら保持する係合保持部４３が外側へ突出させて設けられている。
【００１７】
上記した水中フィルタ用筒状濾過材５１は、例えば、外径が１０ｍｍ、高さが３０ｍｍの一端が開放した円筒状に形成され、ハウジング本体３２に設けた筒部３３の他端内へ開放端（他端）側が挿入されることにより、筒部３３を閉塞するものである。
【００１８】
上記したノズル部材６１は、Ｌ字状に形成され、ハウジング本体３２に設けた筒部３３の一端内へ一端が挿入されることにより、ハウジング本体３２に取り付けられる。
【００１９】
図３において、水中フィルタ用物理濾過材７１は、小石で、ハウジング本体３２と区画部材３６とで区画される空間に配置されるものである。
【００２０】
次に、水中フィルタの組立の一例について説明する。
まず、ハウジング本体３２内に所定量の水中フィルタ用物理濾過材（小石）７１を収容（収納）する。
そして、ハウジング本体３２内に区画部材３６を収容（収納）し、区画部材３６を円錐台形部３２ｃの上端部まで下降させ、筒部３３の他端を円筒部３８内に嵌合させることにより、区画部材３６をハウジング本体３２内に取り付けることができるとともに、ハウジング本体３２と区画部材３６とで区画される空間（水中フィルタ用物理濾過材収容部）内に水中フィルタ用物理濾過材７１を収容（収納）させる。
【００２１】
さらに、水中フィルタ用筒状濾過材５１の開放端側をハウジング本体３２内の筒部３３の他端内に嵌合させることにより、筒部３３の他端を水中フィルタ用筒状濾過材５１で閉塞する。
次に、図１（ａ）に示す状態の水中フィルタ用濾過材１１から中心濾過材部分１２および４つの隅濾過材部分１４を取り外して図１（ｂ）に示す状態の環状濾過部材部分１３のみとし、この環状濾過部材部分１３の内側に水中フィルタ用筒状濾過材５１を位置させるとともに、環状濾過部材部分１３の大半をハウジング本体３２内に挿入し、環状濾過部材部分１３の上側の一部分をハウジング本体３２から突出させる。
【００２２】
そして、蓋体４０を環状濾過部材部分１３の上に押し付けて嵌合環状部４１をハウジング本体３２の上端内側に嵌合させた後、蓋体４０をハウジング本体３２に対して、例えば、上側から見て反時計方向へ回転させ、各係合保持部４３に係止突起３４を保持させることにより、ハウジング本体３２に蓋体４０を取り付けるとともに、ハウジング本体３２、区画部材３６および蓋体４０で区画される空間（水中フィルタ用濾過材収容部）内に環状濾過部材部分１３を収容（収納）させる。
このように、環状濾過部材部分１３を収容させると、環状濾過部材部分１３は圧縮されて膨らみ、ハウジング本体３２、区画部材３６および蓋体４０で区画される空間（水中フィルタ用濾過材収容部）内に収容され、環状濾過部材部分１３の内側に形成されている空間の延長線上に筒部４２が位置する。
【００２３】
次に、ハウジング本体３２に、筒部３３の一端を利用してノズル部材６１を取り付けると、図３に示すように、水中フィルタを組み立てることができる。
【００２４】
次に、水中フィルタの作用の一例について説明する。
図３に示すノズル部材６１に、図示を省略したポンプに接続されたパイプを接続し、ポンプからエアーをノズル部材６１に供給すると、エアーがノズル部材６１から筒部３３、水中フィルタ用筒状濾過材５１を通過して筒部４２へと流れることにより、飼育水の流れを形成する。
このように、エアーが流れて飼育水の流れが形成されると、飼育水は、スリット３２ｓから水中フィルタ用物理濾過材７１を通過して物理濾過された後、スリット３７ｓから環状濾過部材部分１３を通過して物理濾過および生物濾過されて筒部４２へと流れ、また、スリット３２ｓから環状濾過部材部分１３を通過して物理濾過および生物濾過されて筒部４２へと流れ、また、スリット４０ｓから環状濾過部材部分１３を通過して物理濾過および生物濾過されて筒部４２へと流れる。
【００２５】
また、ハウジングの水中フィルタ用濾過材収容部の平面視形状が、図１（ａ）に示す水中フィルタ用濾過材１１をそのまま収容できる形状であっても、また、図１（ａ）に示す水中フィルタ用濾過材１１から中心濾過材部分１２を取り外した状態で収容できる形状であっても、また、図１（ａ）に示す水中フィルタ用濾過材１１から環状濾過材部分１３および４つの隅濾過材部分１４を取り外した状態で収容できる形状であっても、図１（ａ）に示す水中フィルタ用濾過材１１を利用（使用）することができる。
【００２６】
上述したように、この発明の一実施例の水中フィルタ用濾過材１１によれば、所定の高さ（厚さ）を有した中心濾過材部分１２の外側に、この中心濾過材部分１２と同じ高さ（厚さ）で、中心濾過材部分１２と同心の環状濾過材部分１３が取り外し可能に配置され、この環状濾過材部分１３の外側の四隅に、平面視外形が矩形（正方形）となるように、中心濾過材部分１２（環状濾過材部分１３）と同じ高さ（厚さ）の隅濾過材部分１４が取り外し可能に取り付けられているので、図１（ａ）に示す水中フィルタ用濾過材１１を、水中フィルタ用濾過材収容部の平面視形状が矩形（正方形）の水中フィルタ用濾過材として利用（使用）することができ、また、中心濾過材部分１２を取り外すことにより、環状濾過材部分１３および各隅濾過材部分１４を、水中フィルタ用濾過材収容部の平面視形状が矩形（正方形）の水中フィルタ用濾過材として利用（使用）することができ、また、中心濾過材部分１２および各隅濾過材部分１４を取り外すことにより、図１（ｂ）に示す環状濾過材部分１３を、水中フィルタ用濾過材収容部の平面視形状が円形の水中フィルタ用濾過材として利用（使用）することができ、また、環状濾過材部分１３および各隅濾過材部分１４を取り外すことにより、図１（ｂ）に示す中心濾過材部分１２を、水中フィルタ用濾過材収容部の平面視形状が円形の水中フィルタ用濾過材として利用（使用）することができる。
したがって、水中フィルタ用濾過材を交換するために購入する場合、メーカーおよび型番（品番）などを指定して水中フィルタ用濾過材を購入する必要がなくなるため、水中フィルタ用濾過材の購入に際しての煩わしさから解放される。
【００２７】
図４はこの発明の他の実施例である水中フィルタ用濾過材の斜視図であり、図１〜図３と同一部分または図１〜図３の相当部分に同一符号を付し、その説明を省略する。
【００２８】
図４において、水中フィルタ用濾過材１１は、不織布またはスポンジで構成された円柱状の中心濾過材部分１２と、所定の高さ、例えば、中心濾過材部分１２と同じ高さ（厚さ）で、中心濾過材部分１２の外側に取り外し可能に配置された（取り付けられた）、中心濾過材部分１２と同心の不織布またはスポンジで構成された環状濾過材部分１３Ａ，１３Ｂ，１３Ｃとで構成されている。
なお、中心濾過材部分１２と環状濾過材部分１３Ａとは、一方（下方）の端を千切ることによって取り外し可能に連結された状態に型抜きによって形成されている。
また、環状濾過材部分１３Ａと環状濾過材部分１３Ｂとは、一方（下方）の端を千切ることによって取り外し可能に連結された状態に型抜きによって形成されている。
また、環状濾過材部分１３Ｂと環状濾過材部分１３Ｃとは、一方（下方）の端を千切ることによって取り外し可能に連結された状態に型抜きによって形成されている。
【００２９】
図４に示した水中フィルタ用濾過材１１は、そのままの状態で、水中フィルタ用濾過材収容部の平面視形状が円形の水中フィルタ用濾過材として利用（使用）することができる。
また、中心濾過材部分１２を取り外すことにより、環状濾過材部分１３Ａ，１３Ｂ，１３Ｃを、水中フィルタ用濾過材収容部の平面視形状が円形の水中フィルタ用濾過材として利用（使用）することができる。
また、中心濾過材部分１２および環状濾過材部分１３Ａを取り外すことにより、環状濾過材部分１３Ｂ，１３Ｃを、水中フィルタ用濾過材収容部の平面視形状が円形の水中フィルタ用濾過材として利用（使用）することができる。
また、中心濾過材部分１２、環状濾過材部分１３Ａおよび環状濾過材部分１３Ｂを取り外すことにより、環状濾過材部分１３Ｃを、水中フィルタ用濾過材収容部の平面視形状が円形の水中フィルタ用濾過材として利用（使用）することができる。
また、環状濾過材部分１３Ａ，１３Ｂ，１３Ｃを取り外すことにより、中心濾過材部分１２を、水中フィルタ用濾過材収容部の平面視形状が円形の水中フィルタ用濾過材として利用（使用）することができる。
また、中心濾過材部分１２、環状濾過材部分１３Ｂ，１３Ｃを取り外すことにより、環状濾過材部分１３Ａを、水中フィルタ用濾過材収容部の平面視形状が円形の水中フィルタ用濾過材として利用（使用）することができる。
また、中心濾過材部分１２、環状濾過材部分１３Ａ，１３Ｃを取り外すことにより、環状濾過材部分１３Ｂを、水中フィルタ用濾過材収容部の平面視形状が円形の水中フィルタ用濾過材として利用（使用）することができる。
また、中心濾過材部分１２および環状濾過材部分１３Ｃを取り外すことにより、環状濾過材部分１３Ａ，１３Ｂを、水中フィルタ用濾過材収容部の平面視形状が円形の水中フィルタ用濾過材として利用（使用）することができる。
また、環状濾過材部分１３Ｂ，１３Ｃを取り外すことにより、中心濾過材部分１２および環状濾過材部分１３Ａを、水中フィルタ用濾過材収容部の平面視形状が円形の水中フィルタ用濾過材として利用（使用）することができる。
また、環状濾過材部分１３Ｃを取り外すことにより、中心濾過材部分１２および環状濾過材部分１３Ａ，１３Ｂを、水中フィルタ用濾過材収容部の平面視形状が円形の水中フィルタ用濾過材として利用（使用）することができる。
したがって、水中フィルタ用濾過材を交換するために購入する場合、メーカーおよび型番（品番）などを指定して水中フィルタ用濾過材を購入する必要がなくなるため、水中フィルタ用濾過材の購入に際しての煩わしさから解放される。
【００３０】
上記した実施例では、各部の寸法の一例を示したが、この寸法に限定されるものではない。
また、中心濾過材部分１２、環状濾過材部分１３，１３Ａ〜１３Ｃを一端で連結した例を示したが、中心濾過材部分１２、環状濾過材部分１３，１３Ａ〜１３Ｃは一端で連結されていなくてもよい。
また、中心濾過材部分１２、環状濾過材部分１３，１３Ａ〜１３Ｃ、隅濾過材部分１４を同じ高さとした例を示したが、圧縮されると同じ高さとなるので、また、異なる高さであっても機能するので、中心濾過材部分１２、環状濾過材部分１３，１３Ａ〜１３Ｃ、隅濾過材部分１４は高さが多少異なっていても（ほぼ同じ高さであれば）よい。
また、同心の環状濾過部材１３，１３Ａ〜１３Ｃの平面視外形を円形とした例を示したが、平面視外形は他の形状、例えば、三角形、四角形、六角形、八角形などであってもよい。
また、平面視外形が円形の環状濾過部材１３の外側の四隅にそれぞれ隅濾過材部分１４を取り付けて平面視外形が正方形となる水中フィルタ用濾過材１１を示したが、隅濾過部材は２つを１つにしたものを２つ取り付ける構成にしてもよく、また、全体の平面視外形は正方形以外の矩形（長方形）であってもよい。
【図面の簡単な説明】
【００３１】
【図１】（ａ）はこの発明の一実施例である水中フィルタ用濾過材の斜視図、（ｂ）は図１（ａ）に示した水中フィルタ用濾過材の分解斜視図である。
【図２】（ａ）は図１に示した水中フィルタ用濾過材を収容するハウジングの分解斜視図、（ｂ）は図２（ａ）に示したハウジングを組み立てた状態の部分縦断面図である。
【図３】ハウジング内に水中フィルタ用濾過材を収容させた状態の水中フィルタの部分縦断面図である。
【図４】この発明の他の実施例である水中フィルタ用濾過材の斜視図である。
【符号の説明】
【００３２】
１１    水中フィルタ用濾過材
１２    中心濾過材部分
１３    環状濾過材部分
１３Ａ  環状濾過材部分
１３Ｂ  環状濾過材部分
１３Ｃ  環状濾過材部分
１３ｄ  凹部
１４    隅濾過材部分
１４ｐ  嵌合突条
３１    ハウジング
３２    ハウジング本体
３２ｃ  円錐台形部
３２ｓ  スリット
３３    筒部
３４    係止突起
３６    区画部材
３７    円形平板部
３７ｓ  スリット
３８    円筒部
４０    蓋体
４０ｓ  スリット
４１    嵌合環状部
４２    筒部
４３    係合保持部
５１    水中フィルタ用筒状濾過材
６１    ノズル部材
７１    水中フィルタ用物理濾過材
【図１】
2009183160.tif 000003
【図２】
2009183160.tif 000004
【図３】
2009183160.tif 000005
【図４】
2009183160.tif 000006